【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
ａ）情報支持体（７）を間に配置収容する二つのテーブル部材（２）であって、それを見易くするためにテーブル部材（２）の少なくとも一方が透明であるテーブル部材と、
ｂ）両テーブル部材（２）を挿入する台座（３）と、
ｃ）情報支持体（７）を収容するために両テーブル部材（２）の間の隙間（２０）を開放する手段（４、３７）であって、この手段（４、３７）がテーブル部材（２）の間に突き出す台座（３）に配置された垂直片（３７）及びテーブル部材（２）の間に位置するスペーサ部材（４）又はそのいずれか一方であることを備えるポスター状情報支持体（７）用の保持装置（１）において、
ｄ）両テーブル部材（２）がそれぞれに台座（３）の領域に両外辺にて第一空所（２２）を有し；
ｅ）自由断面（２３）は第一空所（２２）を越えて外辺に沿って、一方では連続的に底辺（２４）まで延びて、他方では短い間隔にわたり第二空所（２１）の方向に延びていて；そして、
ｆ）台座（３）の外部にテーブル部材（２）が少なくとも外辺には第二空所（２１）を有し、この第二空所が保持装置（１）に差し込む情報支持体（７）をつかむ及び情報支持体（７）にクリップ部材（５）を取り付けるか、或いはそのいずれか一方を行うグリップ凹みとして用いられることを特徴とする保持装置。          
【請求項２】
ａ）保持装置（１）の両テーブル部材（２）が台座（３）の外部に両対向位置する外辺にて台座（３）に対して一個づつの第二空所（２１）を有し、この第二空所が互いに完全に一致して配置されて特に半円形であり；そして
ｂ）クリップ部材（５）が第二空所（２１）の輪郭に相互補完的に架橋部（５０）によって互いに連結された二つの側面部（５１）を有し、これら側面部が情報支持体（７）を第二空所（２１）の領域に両側に包囲してそれで固定するためにクリップ状に閉められることを特徴とする請求項１に記載の保持装置（１）。
【請求項３】
ａ）各端には台座（３）がそれぞれ一個の隅部材（６）を備えていて、隅部材が台座（３）の端に切断面を覆うように且つ台座（３）に差し込む両テーブル部材（２）を固定するように用いられ；
ｂ）一部材の隅部材（６）が第一アングル部片（６０）と第二アングル部片（６６）を有し、それらの間に内側にリブ（６２）が延びていて、横にねじ通路（３９）に取り付けられ；
ｃ）第一アングル部片（６０）が台座（３）の肩部（３６）に当接するように決定されて、さらに、ねじ通路（３９）に係合するねじ（６９）取り付ける孔（６１）を有し；
ｄ）第二アングル部片（６６）が内側に突出部（６８）を有し、この突出部から刃状ほぞ（６７）が立上がり；そして
ｅ）突出部（６８）が二つの並んで位置されたテーブル部材（２）の両第一空所（２２）に係合し、ほぞ（６７）がテーブル部材（２）間の台座（３）の垂直片（３７）と同じ高さに一致して突き出し、第二アングル部片（６６）の厚さが自由断面（２３）に取り付けられ、それにより第二アングル部片（６６）の外面がテーブル部材（２）の外辺と結合的に終了することを特徴とする請求項１或いは２に記載の保持装置（１）。
【請求項４】
ａ）台座（３）が原理的にＵ形状として二つの横脚（３１）を形成していて、これら横脚がばねとして作用してその間に一つの片側開放自由空間（３０）を包囲し；
ｂ）横脚（３１）からそれぞれ一個の分岐部（３４）が延びていて、この分岐部（３４）が互いに向き合っていてそれぞれにフランク（３３）に移行し、両フランク（３３）が横ウエブ（３８）により架橋されていて、フランク間に自由空間（３０）から反対を向いて開放するねじ通路（３９）を有し；
ｃ）それぞれに両分岐部（３４）と横ウエブ（３８）をもつフランク（３３）が自由空間（３０）をメアンダー状に形成し；
ｄ）各横脚（３１）が自由空間（３０）に入口で向き合う係止突起（３２）を有し；
ｅ）垂直片（３７）が横ウエブ（３８）の中心から自由空間（３０）内へ立上がることを特徴とする請求項１乃至３のいずれかの一項に記載の保持装置（１）。
【請求項５】
ａ）横脚（３１）がそれぞれ一個の突出部（３５）を備えてそれぞれの付属分岐部（３４）を介して延びていて、この突出部により肩部（３６）を形成し；
ｂ）両肩部（３６）が一平面に位置してねじ通路（３９）の出口に向かって延びていて；
ｃ）肩部（３６）がねじ通路（３９）によりアダプター（８）の接続部材（８１）を固定するために利用でき；そして
ｄ）台座（３）が連続形状体から、特にアルミニュムから成り立つことを特徴とする請求項４に記載の保持装置（１）。
【請求項６】
ａ）両テーブル部材（２）が等しく、即ち同じタイプを有し、同じ透明材料、特に合成樹脂或いはガラスから成り；そして
ｂ）テーブル部材（２）の厚さが横脚（３１）と垂直片（３７）の間の内径に一致することを特徴とする請求項１乃至５のいずれかの一項に記載の保持装置（１）。
【請求項７】
ａ）板状スペーサ部材（４）が設けられ、両テーブル部材（２）間の組立てた状態に且つ組立てた隅部材（６）の両側で中へ突き出すほぞ（６７）間に台座（３）の垂直片（３７）に載置して特に無色透明合成樹脂から成り；
ｂ）台座（３）に差し込んだ両テーブル部材（２）が台座（３）の横ウエブ（３８）に着座し；そして、
ｃ）スペーサ部材（４）の台座（３）から指標となる辺が挿入された情報支持体（７）用のストッパを形成することを特徴とする請求項１乃至６のいずれかの一項に記載の保持装置（１）。
【請求項８】
ａ）保持装置（１）が台座（３）と一緒にテーブル部材（２）の下部或いは上部或いは横に位置され；
ｂ）支持構造体（９）が板状或いは管状スタンド、鏡板、架台、後壁或いはカバーであり、支持構造体（９）と結合する台座（３）の間にアダプター（８）が挿入され得て；
ｃ）アダプター（８）が接続部材（８１）を有し、その接続部材が二部材の肩部（３６）に取り付けて且つ台座（３）のねじ通路（３９）に固定するように形成され；そして、  ｄ）アダプター（８）が支持構造体（９）と分解可能に結合する結合形状部（８６）を有することを特徴とする請求項１乃至７のいずれかの一項に記載の保持装置（１）。
【手続補正２】
【補正対象書類名】明細書
【補正対象項目名】０００４
【補正方法】変更
【補正の内容】
【０００４】
最終的に、ドイツ実用新案第２９９２１９９０号明細書（特許文献１）には、台座と平らなポスター支柱を有するポスター状情報支持体用の保持装置が開示されていて、平らなポスター支柱が台座に差し込れている。情報支持体は特に三面に閉鎖されて下辺にのみ開放する封筒の構成を有し、上からポスター支柱にわたり移動される。ポスター支柱、情報支持体と場合によっては押し被さった透明なポスターポケットから成るサンドイッチ配列を収容するために、ロッド状台座が上連続的横断溝を有する。台座の横断面深さにはポスター支柱にほぞを収容するほぞ溝が延びている。ばね溝には、ばね要素が着座し、ばね要素はばね突起により挿入されたポスター支柱のほぞ溝に受けられたほぞの開口に係止して係合する。
この種の保持装置は日本特許出願公開第２００５−１８１７０８号公報（特許文献４）と英国特許出願公開第１１９３７６３号明細書（特許文献５）に開示されている。
【特許文献１】ドイツ実用新案第２９９２１９９０号明細書
【特許文献２】欧州特許第１１５２６７５号明細書
【特許文献３】欧州特許第１３１２２８７号明細書
【特許文献４】日本特許出願公開第２００５−１８１７０８号公報
【特許文献５】英国特許出願公開第１１９３７６３号明細書
【非特許文献１】Vitrashop AG社報「ビトラショプ・ジャーナル」（発行年１９９３年）第65頁
【非特許文献２】Vitrashop AG社報「ビトラショプ・ジャーナル」（発行年１９９６年）第13頁